(57)【要約】【課題】汎用性の高い材料が使用でき、その施工に特別な手間を要することがない廃棄物処分場のキャッピング構造を提供すること。【解決手段】表面が均された廃棄物２の上に、不織布からなる保護シート４、所定の孔５０を有する合成樹脂製の凹凸シート５及び不織布からなる分離シート７を、これら３層体の透水係数が１×１０−２ｃｍ／ｓｅｃ〜１×１０ｃｍ／ｓｅｃで、かつ通水性能が１×１０−１ｃｍ２／ｓｅｃ以上となるように順次重ね、その上に覆土８を設ける。【選択図】  図１
2005007264.tif 000002
【特許請求の範囲】
【請求項１】
排水設備を有する廃棄物処分場の最終キャッピング構造であって、表面が均された廃棄物の上に、不織布からなる保護シート、所定の孔を有する合成樹脂製の凹凸シート及び不織布からなる分離シートを、これら３層体の透水係数が１×１０−２ｃｍ／ｓｅｃ〜１×１０ｃｍ／ｓｅｃで、かつ通水性能が１×１０−１ｃｍ２／ｓｅｃ以上となるように順次重ね、その上に覆土を設けたことを特徴とする廃棄物処分場のキャッピング構造。
【請求項２】
凹凸シートの見かけ厚みが８〜５０ｍｍ、厚みが０．５〜２ｍｍで、耐圧強度が２×１０４Ｐａ以上であることを特徴とする請求項１記載の廃棄物処分場のキャッピング構造。
【請求項３】
排水設備を有する廃棄物処分場の最終キャッピング構造であって、表面が均された廃棄物の上に、不織布からなる保護シート、開口率が６０％以下の合成樹脂製のネット及び不織布からなる分離シートを、これら３層体の透水係数が１×１０−２ｃｍ／ｓｅｃ〜１×１０ｃｍ／ｓｅｃで、かつ通水性能が１×１０−１ｃｍ２／ｓｅｃ以上となるように順次重ね、その上に覆土を設けたことを特徴とする廃棄物処分場のキャッピング構造。
【請求項４】
ネットの見かけ厚みが１．５〜１０ｍｍで、耐圧強度が２×１０４Ｐａ以上であることを特徴とする請求項３記載の廃棄物処分場のキャッピング構造。
【請求項５】
保護シートが厚み２〜１０ｍｍのスパンボンド不織布又は厚み５〜２０ｍｍの短繊維不織布、分離シートが厚み０．２〜１０ｍｍのスパンボンド不織布であることを特徴とする請求項１、２、３又は４記載の廃棄物処分場のキャッピング構造。
【請求項６】
保護シートと分離シートの少なくとも一方が、合成繊維からなる不織布であることを特徴とする請求項１、２、３、４又は５記載の廃棄物処分場のキャッピング構造。
【発明の詳細な説明】
【０００１】
【発明の属する技術分野】
本発明は、排水設備を有する廃棄物処理場のキャッピング構造に関し、特に、汎用性の高い材料が使用でき、その施工に特別な手間を要することがない廃棄物処分場のキャッピング構造に関するものである。
【０００２】
【従来の技術】
従来から、廃棄物が満杯になった処分場はその全表面に覆土し、その処分場を閉鎖するようにしていた。
しかしながら最近においては、その廃棄物から発生するガスが問題となり、このガスを抜くため、最終覆土を含めて、多種多様なキャッピングに使用するシートやこれらを使用した構造、施工方法が提案されている。
【０００３】
このような廃棄物処分場のキャッピング構造としては、例えば、処分場の表層に、遮水性又は難透水性を有する部分を、その下縁に沿って排水施設を、排水施設の反対側に沿って透水性を有する部分を帯状に交互に形成する最終覆土工法が知られている（例えば、特許文献１参照）。
また、他の廃棄物処分場のキャッピング構造としては、通気性と防水性を有する透湿性防水シートで、処分場の上面全体を覆うようにした廃棄物処分施設も周知である（例えば、特許文献２参照）。
【０００４】
【特許文献１】
特許第３３５４９２０号公報
【特許文献２】
特開平１１−１０１０４号公報
【０００５】
【発明が解決しようとする課題】
しかしながら、前者は、少量の水の廃棄物内への浸透を許容する前提になっているが、その施工には莫大な手間を要する工法であり、また、後者は、水の廃棄物内への浸透を一切許容しない前提となっており、このため非常に高価な透湿性防水シートを使用しその経済性に問題を残している。
【０００６】
本発明は、上記の問題点に鑑みてなしたものであり、汎用性の高い材料が使用でき、その施工に特別な手間を要することがない廃棄物処分場のキャッピング構造を提供することを目的とする。
【０００７】
【課題を解決するための手段】
上記目的を達成するため、本第１発明の廃棄物処分場のキャッピング構造は、排水設備を有する廃棄物処分場の最終キャッピング構造であって、表面が均された廃棄物の上に、不織布からなる保護シート、所定の孔を有する合成樹脂製の凹凸シート及び不織布からなる分離シートを、これら３層体の透水係数が１×１０−２ｃｍ／ｓｅｃ〜１×１０ｃｍ／ｓｅｃで、かつ通水性能が１×１０−１ｃｍ２／ｓｅｃ以上となるように順次重ね、その上に覆土を設けたことを特徴とする。
【０００８】
この廃棄物処分場のキャッピング構造は、排水設備を有する廃棄物処分場において、表面が均された廃棄物の上に、不織布からなる保護シート、所定の孔を有する合成樹脂製の凹凸シート及び不織布からなる分離シートを、これら３層体の透水係数が１×１０−２ｃｍ／ｓｅｃ〜１×１０ｃｍ／ｓｅｃで、かつ通水性能が１×１０−１ｃｍ２／ｓｅｃ以上となるように順次重ね、その上に覆土を設けることから、覆土上に降り注ぎ浸透する雨は、３層体の内部を通り廃棄物処分場の表面周縁に排水され、３層体が投棄ピット内に漏らす水量も制限され排水設備の能力を超すことはなく、また、投棄ピット内に浸入した水は適度に廃棄物の腐蝕を促し、腐蝕により発生するガスを３層体を通じて外部に排出することができる。
【０００９】
この場合において、凹凸シートの見かけ厚みを８〜５０ｍｍ、厚みを０．５〜２ｍｍ、耐圧強度を２×１０４Ｐａ以上とすることができる。
【００１０】
これにより、必要充分な通水空間が確保でき、作業中、作業後に発生する材料強度に係る問題も解消されることになる。
【００１１】
また、本第２発明の廃棄物処分場のキャッピング構造は、排水設備を有する廃棄物処分場の最終キャッピング構造であって、表面が均された廃棄物の上に、不織布からなる保護シート、開口率が６０％以下の合成樹脂製のネット及び不織布からなる分離シートを、これら３層体の透水係数が１×１０−２ｃｍ／ｓｅｃ〜１×１０ｃｍ／ｓｅｃで、かつ通水性能が１×１０−１ｃｍ２／ｓｅｃ以上となるように順次重ね、その上に覆土を設けたことを特徴とする。
【００１２】
この廃棄物処分場のキャッピング構造は、排水設備を有する廃棄物処分場において、表面が均された廃棄物の上に、不織布からなる保護シート、開口率が６０％以下の合成樹脂製のネット及び不織布からなる分離シートを、これら３層体の透水係数が１×１０−２ｃｍ／ｓｅｃ〜１×１０ｃｍ／ｓｅｃで、かつ通水性能が１×１０−１ｃｍ２／ｓｅｃ以上となるように順次重ね、その上に覆土を設けることから、覆土上に降り注ぎ浸透する雨は、３層体の内部を通り廃棄物処分場の表面周縁に排水され、３層体が投棄ピット内に漏らす水量も制限され排水設備の能力を超すことはなく、また、投棄ピット内に浸入した水は適度に廃棄物の腐蝕を促し、腐蝕により発生するガスを３層体を通じて外部に排出することができる。
【００１３】
この場合において、ネットの見かけ厚みを１．５〜１０ｍｍで、耐圧強度を２×１０４Ｐａ以上とすることができる。
【００１４】
これにより、同様に、必要充分な通水空間が確保でき、作業中、作業後に発生する材料強度に係る問題も解消されることになる。
【００１５】
また、保護シートが厚み２〜１０ｍｍのスパンボンド不織布又は厚み５〜２０ｍｍの短繊維不織布、分離シートが厚み０．２〜１０ｍｍのスパンボンド不織布とすることができる。
【００１６】
これにより、透水係数が１×１０−２ｃｍ／ｓｅｃ〜１×１０ｃｍ／ｓｅｃ、通水性能が１×１０−１ｃｍ２／ｓｅｃ以上である３層体の形成がより容易になり、保護シートと分離シートは共に優れた柔軟性、強度、保水性を持つことになる。
【００１７】
また、保護シートと分離シートの少なくとも一方を、合成繊維からなる不織布とすることができる。
【００１８】
これにより、保護シートや分離シートの腐蝕はなくなり、本発明の廃棄物処分場のキャッピング構造は長期に亘って維持されることになる。
【００１９】
【発明の実施の形態】
以下、本発明の実施の形態を図面に基づいて説明する。
【００２０】
図１〜図２に、本発明の廃棄物処分場のキャッピング構造の一実施例を示す。
この廃棄物処分場のキャッピング構造１は、投棄ピット１２の底部に排水設備１１を有する廃棄物処分場１０において、その表面に均し部３を設けた廃棄物２の上部に保護シート４を、その上に合成樹脂製の凹凸シート５を、その上に分離シート７を、その上に覆土８を順次積層したものである。
この場合、均し部３は、廃棄物２そのものの表面を均すか、又は、別途土砂等で盛土して形成することができる。
【００２１】
また、図３の断面図は、保護シート４、凹凸シート５、分離シート７の３層体９を示し、この３層体９を縦断する方向の透水係数が１×１０−２ｃｍ／ｓｅｃ〜１×１０ｃｍ／ｓｅｃ、横断する方向の通水性能が１×１０−１ｃｍ２／ｓｅｃ以上となるように規制されている。
【００２２】
凹凸シート５は、その見かけ厚みＨが８〜５０ｍｍ、その厚みＬが０．５〜２ｍｍに規制され、適度に孔５０を設けその透水性能を調整し、中空部５１を有することでその通水性能を確保し、その平面耐圧強度も２×１０４Ｐａ以上に規制されている。
また、図３においては上下に凹凸と中空部を設けているが、凹凸シート５そのものは、上部で中空部を有する凸部のみ、下部で中空部を有する凹部のみを設けた形状であってもよい。
なお、孔は、凹凸シート５の頂部のほか、中空部の壁部分等に設けるようにすることができ、その形成部位は、特に限定されるものではない。
さらに、保護シート４には、厚み２〜１０ｍｍのスパンボンド不織布又は厚み５〜２０ｍｍの短繊維不織布、また、分離シート７には、厚み０．２〜１０ｍｍのスパンボンド不織布を好適に使用でき、このような不織布を選択するすることで、必要な不織布そのものの透水係数、通水性能、保水性能、柔軟性、強度性等が可能になり、本発明で限定する透水係数が１×１０−２ｃｍ／ｓｅｃ〜１×１０ｃｍ／ｓｅｃ、通水性能が１×１０−１ｃｍ２／ｓｅｃ以上である３層体９の形成がより容易になる。
【００２３】
一方、図４は、キャッピング構造の他の実施例を示すもので、上記凹凸シート５に替えて、開口率が６０％以下の合成樹脂製のネット６を用いている。
そして、ネット６の開口率が６０％以下、その見かけ厚みが１．５〜１０ｍｍで、耐圧強度が２×１０４Ｐａ以上に規制されている。
【００２４】
この廃棄物処分場のキャッピング構造は、保護シート４、角目のネット６及び分離シート７によって３層体９を構成するもので、この３層体９も縦断する方向の透水係数が１×１０−２ｃｍ／ｓｅｃ〜１×１０ｃｍ／ｓｅｃ、横断する方向の通水性能が１×１０−１ｃｍ２／ｓｅｃ以上となるように規制されている。
【００２５】
図５は、ネット６の一例を示すもので、図示しないが、ネット６の形状は上記の角目の他、菱目、亀甲等があり、特に限定されるものでない。
このように、３層体９の芯材にネット６を用いる場合は、図４に示すように、交差する単糸の太さを変えることでより中空部６１が確保でき、通水空間の観点においてより好ましくなる。
【００２６】
そして、このように凹凸シート５やネット６を芯材として用いて形成した３層体９は、廃棄物処分場のキャッピング構造において、必要充分な通水空間を中空部５１、６１で確保し、作業中や作業後に発生する材料強度に係る問題も解消することになる。
【００２７】
また、凹凸シート５やネット６を形成する合成樹脂には、成形性の良さから熱可塑性樹脂が好適に使用でき、特に、汎用性の高い、ビニル系の塩化ビニルや酢酸ビニル等、オレフィン系のポリエチレン、ポリプロピレン等、これら合成樹脂の混合体、これら合成樹脂とエチレン−酢酸ビニル等の共重合体類やエラストマー類や変性ポリオレフィン類等のとの混合物が好適に使用できる。
【００２８】
また、３層体９は、加熱や超音波、高周波等による融着手段、ホットメルト、接着剤、粘着剤等による接合手段で、合成樹脂製の凹凸シート５やネット６を挟み上下に保護シート４と分離シート７とを、又は、凹凸シート５の片面に保護シート４と分離シート７のどちらかを一体化すれば、施工現場においてこれらシートの重ね合わせ作業等が省かれ、工事そのものの効率を大きく向上させることになる。
【００２９】
また、保護シート４や分離シート７が合成繊維からなる不織布であってもよく、このような場合は、保護シート４や分離シート７の腐蝕はなくなり、本発明の廃棄物処分場１０のキャッピング構造１は長期に亘って維持されることになる。
【００３０】
このように、本発明の各実施例の廃棄物処分場のキャッピング構造は、廃棄物処分場の最終覆土工事に使用された場合、覆土８上に降り注ぎ浸透する雨は、３層体９の内部空間を通り廃棄物処分場１０の表面周縁に排水され、３層体９から投棄ピット１２内に漏れる水量も制限され排水設備の能力を超すことはない。また、投棄ピット１２内に浸入した水は適度に廃棄物２の腐蝕を促し、腐蝕により発生するガスは３層体９を通じて外部に排出されることになる。
【００３１】
以上、本発明の実施例を説明したが、本発明の廃棄物処分場のキャッピング構造は、この実施例の記載に限定されるものではなく、その趣旨を逸脱しない範囲において適宜に変更することが可能である。
【００３２】
【発明の効果】
本第１発明の廃棄物処分場のキャッピング構造によれば、排水設備を有する廃棄物処分場において、表面が均された廃棄物の上に、不織布からなる保護シート、所定の孔を有する合成樹脂製の凹凸シート及び不織布からなる分離シートを、これら３層体の透水係数が１×１０−２ｃｍ／ｓｅｃ〜１×１０ｃｍ／ｓｅｃで、かつ通水性能が１×１０−１ｃｍ２／ｓｅｃ以上となるように順次重ね、その上に覆土を設けることから、覆土上に降り注ぎ浸透する雨は、３層体の内部を通り廃棄物処分場の表面周縁に排水され、３層体が投棄ピット内に漏らす水量も制限され排水設備の能力を超すことはなく、また、投棄ピット内に浸入した水は適度に廃棄物の腐蝕を促し、腐蝕により発生するガスを３層体を通じて外部に排出することができる。
【００３３】
この場合、凹凸シートの見かけ厚みを８〜５０ｍｍ、厚みを０．５〜２ｍｍ、耐圧強度を２×１０４Ｐａ以上とすることにより、必要充分な通水空間が確保でき、作業中や作業後に発生する材料強度に係る問題も解消されることになる。
【００３４】
また、本第２発明の廃棄物処分場のキャッピング構造によれば、排水設備を有する廃棄物処分場において、表面が均された廃棄物の上に、不織布からなる保護シート、開口率が６０％以下の合成樹脂製のネット及び不織布からなる分離シートを、これら３層体の透水係数が１×１０−２ｃｍ／ｓｅｃ〜１×１０ｃｍ／ｓｅｃで、かつ通水性能が１×１０−１ｃｍ２／ｓｅｃ以上となるように順次重ね、その上に覆土を設けることから、覆土上に降り注ぎ浸透する雨は、３層体の内部を通り廃棄物処分場の表面周縁に排水され、３層体が投棄ピット内に漏らす水量も制限され排水設備の能力を超すことはなく、また、投棄ピット内に浸入した水は適度に廃棄物の腐蝕を促し、腐蝕により発生するガスを３層体を通じて外部に排出することができる。
【００３５】
この場合、ネットの見かけ厚みを１．５〜１０ｍｍで、耐圧強度を２×１０４Ｐａ以上とすることにより、同様に、必要充分な通水空間が確保でき、作業中、作業後に発生する材料強度に係る問題も解消されることになる。
【００３６】
また、保護シートが厚み２〜１０ｍｍのスパンボンド不織布又は厚み５〜２０ｍｍの短繊維不織布、分離シートが厚み０．２〜１０ｍｍのスパンボンド不織布とすることすることにより、透水係数が１×１０−２ｃｍ／ｓｅｃ〜１×１０ｃｍ／ｓｅｃ、通水性能が１×１０−１ｃｍ２／ｓｅｃ以上である３層体の形成がより容易になり、保護シートと分離シートは共に優れた柔軟性、強度、保水性を持つことになる。
【００３７】
また、保護シートと分離シートの少なくとも一方を、合成繊維からなる不織布とすることにより、保護シートや分離シートの腐蝕はなくなり、本発明の廃棄物処分場のキャッピング構造は長期に亘って維持されることになる。
【図面の簡単な説明】
【図１】本発明の廃棄物処分場のキャッピング構造の第１実施例を示す断面図である。
【図２】同要部拡大断面図である。
【図３】凹凸シートを用いた３層体を示す拡大断面図である。
【図４】ネットを用いた３層体を示す拡大断面図である。
【図５】ネットの一例を示す平面図である。
【符号の説明】
１    キャッピング構造
１０  廃棄物処分場
１１  排水設備
１２  投棄ピット
１３  遮水シート
１４  遮水面
２    廃棄物
３    均し部
４    保護シート
５    凹凸シート
５０  孔
５１  中空部
６    ネット
６０  開口部
６１  中空部
７    分離シート
８    覆土
９    ３層体
Ｈ    凹凸シートの見かけ厚み
Ｌ    凹凸シートの厚み
Ｍ    ネットの見かけ厚み
【図１】
2005007264.tif 000003
【図２】
2005007264.tif 000004
【図３】
2005007264.tif 000005
【図４】
2005007264.tif 000006
【図５】
2005007264.tif 000007